(57)【要約】    【課題】  屋外などでも簡単且つ手軽にお茶を入れて飲むことが出来る飲用具を提供する。    【解決手段】  コップ本体と、コップ本体の上部開口を密閉する蓋体とが備えられた飲用具であって、蓋体の下面側には茶葉の収容部が設けられ、前記収容部には複数の小孔が開設され、蓋体には前記収容部に飲料水を注ぐための注ぎ口が設けられ、注ぎ口は取り外し可能なカバーで閉鎖され、このカバーは、注ぎ口から取り外した後、この注ぎ口を再閉鎖可能である。  【選択図】  図１
2005027980.tif 000002
【特許請求の範囲】
【請求項１】
コップの上部開口を閉鎖する蓋体が備えられ、蓋体の下面側には茶葉またはコーヒー材の収容部が設けられ、前記収容部は飲料水が通過可能であり、蓋体には前記収容部に飲料水を注ぐための注ぎ口が設けられ、注ぎ口は取り外し可能なカバーで閉鎖されていることを特徴とする飲用具。
【請求項２】
コップ本体と、コップ本体の上部開口を閉鎖する蓋体とが備えられ、蓋体の下面側には、茶葉またはコーヒー材の収容部が設けられ、前記収容部は飲料水が通過可能であり、蓋体には前記収容部に飲料水を注ぐための注ぎ口が設けられ、注ぎ口は取り外し可能なカバーで閉鎖されていることを特徴とする飲用具。
【請求項３】
収容部が下方に向かうに従って先細に形成されていることを特徴とする請求項1または２に記載の飲用具。
【請求項４】
収容部が通水性を有し、且つ茶葉またはコーヒー材が通過不能な濾過材料から構成されていることを特徴とする請求項１、２または３に記載の飲用具。
【請求項５】
カバーは、注ぎ口から取り外した後、この注ぎ口を再閉鎖可能であることを特徴とする請求項１、２、３または４に記載の飲用具。
【請求項６】
収納部に入れられる茶葉またはコーヒー材が、飲料水により溶解可能な充填容器に充填されていることを特徴とする請求項１、２、３、４または５に記載の飲用具。
【発明の詳細な説明】
【技術分野】
【０００１】
本発明は、野外などでも手軽にお茶やコーヒーを入れて飲むことが出来るお茶用飲料具に関する。
【背景技術】
【０００２】
一般に例えば日本茶や中国茶などのお茶を飲みたい時には、まず茶筒に保存している茶葉を急須に所定量入れて、お湯を急須に注いだ上で、一定時間経過した後、出来上がったお茶を急須から別途用意したコップなどの器に移し替えて、適宜飲むようにしている。
【０００３】
ところで以上のようなお茶の飲み方は、家庭内では簡単に行なえるにしても、茶筒と急須とコップをそれぞれ用意する必要があることから、例えば野外や職場ではお茶を入れ難くいものである。
【０００４】
そのため、従来では、あらかじめ家庭で作ったお茶を魔法瓶などに入れて、目的の場所まで魔法瓶を持参する方法がとられるが、以上の方法では、作ったお茶を長時間持ち歩くこととなるので、お茶の味が悪くなる不具合がある。
【発明の開示】
【発明が解決しようとする課題】
【０００５】
本発明は以上の実情に鑑みて開発したものであって、目的とするところは、屋外などでも簡単且つ手軽にお茶やコーヒーを入れて飲むことが出来る飲用具を提供するにある。
【課題を解決するための手段】
【０００６】
以上の目的を達成するため、請求項１に記載の発明は、コップの上部開口を閉鎖する蓋体が備えられ、蓋体の下面側には茶葉またはコーヒー材の収容部が設けられ、前記収容部は飲料水が通過可能であり、蓋体には前記収容部に飲料水を注ぐための注ぎ口が設けられ、注ぎ口は取り外し可能なカバーで閉鎖されていることを特徴とするものである。
【０００７】
請求項２に記載の発明は、コップ本体と、コップ本体の上部開口を閉鎖する蓋体とが備えられ、蓋体の下面側には、茶葉またはコーヒー材の収容部が設けられ、前記収容部は飲料水が通過可能であり、蓋体には前記収容部に飲料水を注ぐための注ぎ口が設けられ、注ぎ口は取り外し可能なカバーで閉鎖されていることを特徴とするものである。
【０００８】
請求項３に記載の発明は、請求項1または２に記載の飲用具の収容部が下方に向かうに従って先細に形成されていることを特徴とするものである。
【０００９】
請求項４に記載の発明は、請求項１、２または３に記載の飲用具の収容部が、通水性を有し且つ茶葉またはコーヒー材が通過不能な濾過材料から構成されていることを特徴とするものである。
【００１０】
請求項５に記載の発明は、請求項１、２、３または４に記載の飲用具のカバーが、注ぎ口から取り外した後、この注ぎ口を再閉鎖可能であることを特徴とするものである。
【００１１】
請求項６に記載の発明は、請求項１、２、３、４または５に記載の飲用具の収納部に入れられる茶葉またはコーヒー材が、飲料水により溶解可能な充填容器に充填されていることを特徴とするものである。
【発明の効果】
【００１２】
請求項１に記載の発明によれば、コップの上部開口を閉鎖する蓋体が備えられ、蓋体の下面側には茶葉またはコーヒー材の収容部が設けられ、前記収容部は飲料水が通過可能であり、蓋体には前記収容部に飲料水を注ぐための注ぎ口が設けられ、注ぎ口は取り外し可能なカバーで閉鎖されたことにより、既存のコップ上に蓋体をセットして、注ぎ口からお湯を注ぐだけで、お茶やコーヒーを手軽に飲むことが出来るのは勿論のこと、お茶やコーヒーを飲んだ後の後始末も簡単に出来る。
【００１３】
請求項２に記載の発明によれば、コップ本体と、コップ本体の上部開口を閉鎖する蓋体とが備えられ、蓋体の下面側には  茶葉またはコーヒー材の収容部が設けられ、前記収容部は飲料水が通過可能であり、蓋体には前記収容部に飲料水を注ぐための注ぎ口が設けられ、注ぎ口は取り外し可能なカバーで閉鎖されていることにより、例えば屋外などに簡単且つ手軽に持参して、注ぎ口からお湯を注ぐだけで、お茶やコーヒーを手軽に飲むことが出来るのは勿論のこと、お茶やコーヒーを飲んだ後の後始末も簡単に出来る。
【００１４】
請求項３に記載の発明によれば、請求項1または２に記載の飲用具において、収容部が下方に向かうに従って先細に形成されていることにより、請求項１または２に記載の発明の効果に加え、収容部内に収容する茶葉や粉砕したコーヒー豆が、収容部内の狭くなった底部に集中することから、注ぎ口から注がれるお湯が茶葉や粉砕したコーヒー豆に効率良くかかって、お茶やコーヒーが出易くなる。
【００１５】
請求項４に記載の発明によれば、請求項１、２または３に記載の飲用具の収容部が、通水性を有し且つ茶葉またはコーヒー材が通過不能な濾過材料から構成されていることにより、請求項１、２または３に記載の発明の効果に加え、茶葉やコーヒー材が収容部の外に不用意に通過するのを確実に防止することが出来る。
【００１６】
請求項５に記載の発明によれば、請求項１、２，３または４に記載の飲用具のカバーが、注ぎ口から取り外した後、この注ぎ口を再閉鎖可能としたことにより、請求項１、２、３または４に記載の発明の効果に加え、出来上がったお茶やコーヒーを飲む際にコップ本体から取り外した蓋体を反転させてテーブルなどに置くことで、収納部内に一部残っているお茶やコーヒーが蓋体の下面側に溜まって周囲に漏れ出ることがなく、テーブル周りを汚すことがない。
【００１７】
請求項６に記載の発明によれば、請求項１、２、３、４または５に記載の飲用具の収納部に入れられる茶葉またはコーヒー材が、飲料水により溶解可能な充填容器に充填されていることにより、請求項１、２、３、４または５に記載の発明の効果に加え、保管時、茶葉やコーヒー材の香りがとぶのを抑制することができる。
【発明を実施するための最良の形態】
【００１８】
図１において符号１で示す飲用具はお茶用であって、基本的には、底を備えた略円筒状のコップ本体２と、このコップ本体２の上部開口２０を密閉する蓋体３とから構成されている。
【００１９】
コップ本体２は、合成樹脂材料から形成され、その上部開口縁には径方向外方に突出するフランジ２１が周設されている。
【００２０】
蓋体３は、合成樹脂材料から形成され、その外周には、コップ本体２のフランジ２１が嵌合可能なリング状の嵌合溝３１を有する嵌合部３２が周設され、嵌合溝３１内へのフランジ２１の嵌合により、コップ本体２内が蓋体３で密閉されるようにしている。
【００２１】
また嵌合部３２の外周縁には、蓋体３の下面よりも下方に突出する円筒状の仕切筒部３３が一体形成されている。
【００２２】
また蓋体３の中央には、後記する収容部４内に飲料水Ｗを注ぐための円形の注ぎ口３４が開口し、蓋体３の下面側には、注ぎ口３４の周縁から下方に突出する円筒状の収容筒部４１とこの収容筒部４１の下端を閉鎖する底部４２とから構成される茶葉Ｔの収容部４が一体形成されている。
【００２３】
そしてこの収容部４を構成する収容筒部４１及び底部４２には、茶葉Ｔが通過不能な大きさの小孔４３が多数形成されている。
【００２４】
また蓋体３の上面には、注ぎ口３４を閉鎖するシート状のカバー５が接着剤により貼り付けられ、カバー５の外周には、摘み片５１が突設されている。
【００２５】
カバー５は、蓋体３に対して取り外し可能で、且つ取り外した蓋体３は、再度蓋体３に貼り付け可能としている。
【００２６】
以上の構造の飲用具１は、収納部４内に所定量、例えば３ｇ程度の中国茶の茶葉Ｔを入れて、注ぎ口３４をカバー５で閉鎖すると共に、蓋体３をコップ本体２の上部開口２０に取り付けた上で、コップ本体２及び蓋体３の全体を熱収縮性の包装材で包装するのであって、これにより飲用具１を例えばキャンプなどに手軽に持参することが出来る。
【００２７】
そして以上の飲用具を例えばキャンプなどに持参して、キャンプ場でお茶を飲みたいときには、包装材を取り除いた上で、カバー５を一部開いて、飲料水としてのお湯Ｗを注ぎ口４３から収容部４内に一定量注ぎ、再度カバー５を蓋体３に接着して、注ぎ口４３を閉鎖するのであって、これにより、お湯Ｗが冷めるのが抑制されるし、塵が収容部４内に浸入するのを防ぐこともが出来る。
【００２８】
そしてお湯を入れて所定時間経過後、蓋体３をコップ本体２から取り外すと共に、蓋体３を反転させてテーブルなどに置いて、コップ本体２内に出来上がったお茶を飲めばよく、図４に示すように、蓋体３を反転させてテーブル上に置いた際、収納部４内に一部残っているお茶は、蓋体３の下面側に溜まって周囲に漏れ出る虞がない。
【００２９】
またコップ本体２内のお茶を飲み終えたら、再度蓋体３をコップ本体２の上部開口２０に嵌め込んで、コップ本体2及び蓋体３を適宜廃棄すればよい。
【００３０】
以上の実施形態では、蓋体３の下面側に設ける収容部４を、円筒状の収容筒部４１とこの収容筒部４１の下端を閉鎖する底部４２とから構成したが、これに限定されるものではなく、例えば図５に示すように、逆円錐状の収容筒部４１０とこの収容筒部４１０の下端を閉鎖する底部４２０とから構成してもよく、以上の構成とすることで、収容部4内に収容する少量の茶葉Ｔが、収容筒部４１０内の狭くなった底部に集中することから、注ぎ口４３から注がれるお湯Ｗが茶葉Ｔに効率良くかかって、お茶が出易くなる。
【００３１】
また以上の実施形態では、注ぎ口４３を閉鎖するカバー５を蓋体３に接着剤により貼り付けるようにしたが、これに限定されるものではなく、例えば図５に示すように、カバー５０を合成樹脂材料から形成して、このカバー５０を蓋体３の上面側で且つ注ぎ口４３の周囲に突設したリング部４５に取り外し可能に嵌め込むようにしてもよい。
【００３２】
以上の実施形態では、収容部４内に中国茶を収容したが、これに限定されるものではなく、例えば日本茶、紅茶、あるいはハーブティー用の茶葉を収容しても良い。
【００３３】
また図６〜図８は、本発明にかかる引用具の別の実施形態であって、既存のコップＣＰを用いて、茶の飲用に供するものである。
【００３４】
この飲用具は、コップＣＰの上部開口を閉鎖する蓋体３０から構成され、この蓋体３０の外周には、蓋体３０の下面よりも下方に突出する円筒状の仕切筒部３３が一体形成されている。
【００３５】
また蓋体３０の中央には、円形の注ぎ口３４が開口し、蓋体３０の下面側には、注ぎ口３４の周縁から下方に突出する円筒状の収容筒部４１とこの収容筒部４１の下端を閉鎖する底部４２とから構成される茶葉Ｔの収容部４が一体形成されている。
【００３６】
そしてこの収容部４を構成する収容筒部４１及び底部４２には、茶葉Ｔが通過不能な大きさの小孔４３が多数形成されている。
【００３７】
また蓋体３０の上面で且つ注ぎ口３４の周囲には、上方に突出するリング部４５が設けられる一方、このリング部４５に嵌合可能なカバー５０が合成樹脂材料から形成され、このカバー５０をリング部４５に取り外し可能に嵌め込むようにしている。
【００３８】
以上の飲用具にあっても、収納部４内に茶葉Ｔを所定量入れて、注ぎ口３４をカバー５０で閉鎖した上で、蓋体３０の全体を熱収縮性の包装材で包装するのである。
【００３９】
そしてお茶を飲みたい時には、包装材を取り除いた上で、蓋体３０をコップＣＰ上にセットすると共に、カバー５０を外して、お湯Ｗを注ぎ口４３から収容部４内に一定量注いだ後、再度カバー５を蓋体３０に装着して、注ぎ口４３を閉鎖するのであって、これにより、お湯Ｗが不用意に冷めるのが抑制されるし、塵などが収容部４内に浸入するのを防ぐことも出来る。
【００４０】
そしてお湯を入れて所定時間経過した後、カバー５０を蓋体３０から取り外してテーブル上に逆向きに置いて、図８に示すように、このカバー５０上にコップＣＰから取り外した蓋体３０を載せた後、コップＣＰ内のお茶を飲めばよく、収納部４内に一部残っていたお茶はカバー５０内に溜まってテーブル上に漏れ出る虞がない。
【００４１】
また図９は、本発明の別の実施形態であるコーヒー用の飲用具であって、この実施形態の飲用具は、基本的には、図１に示す実施形態のものと同様の構成から成り、異なる点は、蓋体３の下面側に、通水性を有し且つコーヒー豆を粉砕してなるコーヒー材ＣＦが通過不能な濾過用紙材から形成された袋状の収納部４０が取り付けられ、この収容部４０内にコーヒー豆を粉砕したコーヒー材ＣＦを所定量入れた上で、注ぎ口３４がカバー５で閉鎖されている。
【００４２】
尚、収容部４０に収容する茶葉Ｔやコーヒー材ＣＦは、例えば図１０にも示すように、薬剤を入れるのに用いられるゼラチン製のカプセルＫ内に入れ、このカプセルＫに入れた茶葉Ｔやコーヒー材ＣＦを収容部４０に収容するようにしてもよく、斯く構成することで、茶葉Ｔやコーヒー材ＣＦの香りを長期間保つことが出来る。
【００４３】
また前述のカプセルＫに替えてオブラート紙を使用し、このオブラート紙に      茶葉Ｔやコーヒー材ＣＦを包んだものを収容部４０に収容しても同様の効果が得られる。
【００４４】
以上の各実施形態では、コップ本体２及び蓋体３を合成樹脂材料から形成したが、これに限定されるものではなく、例えば紙材料から形成しても良い。
【図面の簡単な説明】
【００４５】
【図１】本発明にかかる飲用具の分解斜視図。
【図２】本発明にかかる飲用具の斜視図。
【図３】同、断面図。
【図４】蓋体を反転させた状態の斜視図。
【図５】本発明にかかる飲用具の別の実施形態を示す断面図。
【図６】本発明にかかる飲用具の別の実施形態を示す斜視図。
【図７】本発明にかかる飲用具の別の実施形態を示す断面図。
【図８】同、使用状態を示す断面図。
【図９】本発明にかかる飲用具の別の実施形態を示す断面図。
【図１０】茶葉を入れたカプセルの断面図。
【符号の説明】
【００４６】
１      飲用具
２      コップ本体
２０    上部開口
３・３０  蓋体
３４    注ぎ口
４・４０  収容部
４１    収容筒部
４２    底部
４３    小孔
５・５０  カバー
Ｔ      茶葉
ＣＦ    コーヒー材
Ｋ      カプセル
Ｗ      お湯（飲料水）
【図１】
2005027980.tif 000003
【図２】
2005027980.tif 000004
【図３】
2005027980.tif 000005
【図４】
2005027980.tif 000006
【図５】
2005027980.tif 000007
【図６】
2005027980.tif 000008
【図７】
2005027980.tif 000009
【図８】
2005027980.tif 000010
【図９】
2005027980.tif 000011
【図１０】
2005027980.tif 000012